(57)【要約】  複数の加入者装置と局側装置が通信を行うパケット通信システムにおいて、複数の加入者装置のそれぞれは、入力された複数の通信パケットに関して、同一ヘッダ情報を有する通信パケットから重複するヘッダ情報を削除し、複数のデータを連結し、連結情報を付与した集約パケットを生成し、局側装置に送信する集約パケット生成器を有し、局側装置は、集約パケットを受信した際に、集約パケットに含まれている複数のデータを連結情報に基づいて分解し、複数の通信パケットを再構築する分解パケット生成器を有する。
2017168494.tif 000002
【特許請求の範囲】
【請求項１】
複数の加入者装置が伝送路を共有し、時分割多重方式で、局側装置と通信を行うパケット通信システムにおいて、
前記複数の加入者装置のそれぞれは、入力された複数の通信パケットに関して、同一ヘッダ情報を有する通信パケットから重複するヘッダ情報を削除して、前記ヘッダ情報を削除後のそれぞれの通信パケットに存在する複数のデータを連結し、連結情報を付与した集約パケットを生成し、生成した前記集約パケットを正規の通信パケットとして前記局側装置に送信する集約パケット生成器を有し、
前記局側装置は、前記集約パケットを受信した際に、前記集約パケットに含まれている前記複数のデータを前記連結情報に基づいて分解し、前記複数の通信パケットを再構築する分解パケット生成器を有する
パケット通信システム。
【請求項２】
前記集約パケット生成器は、
入力された前記複数の通信パケットの宛先情報が含まれるヘッダをチェックし、前記同一ヘッダ情報を有するパケットを判別するヘッダチェック部と、
前記複数の通信パケットのヘッダを削除するヘッダ削除部と、
前記複数の加入者装置のそれぞれが送信する１つのパケットの最大パケット長を決定する最大パケット長決定部と、
前記最大パケット長に収納できる範囲で、同一ヘッダ情報を有し、かつ、ヘッダが削除された複数のデータを連結し、前記最大パケット長を有する前記１つのパケット内に収容される連結データを生成するパッキング部と、
前記連結データの連結箇所に関する情報を連結情報として生成し、前記連結情報を前記連結データに付与する連結情報付与部と、
前記同一ヘッダ情報に相当するヘッダ情報を前記連結データに付与し、前記１つのパケットを正規の通信パケットの構成とするヘッダ付与部と
を含む
請求項１に記載のパケット通信システム。
【請求項３】
前記集約パケット生成器は、前記最大パケット長決定部で決定された前記最大パケット長および前記局側装置から割り当てられた送信可能時間をもとに、１回の送信機会で連続して送信可能な前記最大パケット長のパケット数を算出するパケット数算出部をさらに含み、
前記パッキング部は、前記パケット数および前記最大パケット長に基づいて、前記連結データを生成する
請求項２に記載のパケット通信システム。
【請求項４】
前記局側装置は、
前記加入者装置と通信を行うことで、前記最大パケット長を決定する最大パケット長決定器と、
上位装置である無線親局から、前記無線親局に到着予定のデータ量に関する情報を受信する受信情報抽出器と、
前記無線親局に到着予定の前記データ量が前記最大パケット長で前記加入者装置から送信されることを想定して、前記送信可能時間を決定し、決定した前記送信可能時間を前記加入者装置に送信する帯域算出器と
をさらに有する請求項３に記載のパケット通信システム。
【請求項５】
前記連結情報付与部は、前記連結情報を前記１つのパケットの先頭もしくは末尾に付与する
請求項２から４のいずれか１項に記載のパケット通信システム。
【請求項６】
複数の加入者装置が伝送路を共有し、時分割多重方式で、局側装置と通信を行うパケット通信システムに適用される加入者装置であって、
入力された複数の通信パケットの宛先情報が含まれるヘッダをチェックし、同一ヘッダ情報を有するパケットを判別するヘッダチェック部と、
前記複数の通信パケットのヘッダを削除するヘッダ削除部と、
前記複数の加入者装置のそれぞれが送信する通信パケットの最大パケット長を決定する最大パケット長決定部と、
前記最大パケット長に収納できる範囲で、同一ヘッダ情報を有し、かつ、ヘッダが削除された複数のデータを連結し、前記最大パケット長を有する１つのパケット内に収容される連結データを生成するパッキング部と、
前記連結データの連結箇所に関する情報を連結情報として、前記連結データに付与する連結情報付与部と、
前記同一ヘッダ情報を前記連結データに付与し、前記１つのパケットを正規の通信パケットの構成とするヘッダ付与部と
を含んで構成される集約パケット生成器を有する加入者装置。
【請求項７】
複数の加入者装置が伝送路を共有し、時分割多重方式で、局側装置と通信を行うパケット通信システムに適用される局側装置であって、
前記複数の加入者装置のそれぞれに入力された複数の通信パケットに関して、同一ヘッダ情報を有する通信パケットから重複するヘッダ情報を削除して、前記ヘッダ情報を削除後のそれぞれの通信パケットに存在する複数のデータを連結し、連結情報を付与した集約パケットを、前記複数の加入者装置のそれぞれから受信する受信器と、
前記集約パケットを受信した際に、前記集約パケットに含まれている前記複数のデータを前記連結情報に基づいて分解し、前記複数の通信パケットを再構築する分解パケット生成器と
を有する局側装置。
【請求項８】
複数の加入者装置が伝送路を共有し、時分割多重方式で、局側装置と通信を行うパケット通信方法において、
前記複数の加入者装置のそれぞれにおいて、
入力された複数の通信パケットの宛先情報が含まれるヘッダをチェックし、前一ヘッダ情報を有するパケットを判別する第１ステップと、
前記複数の通信パケットのヘッダを削除する第２ステップと、
前記複数の加入者装置のそれぞれが送信する１つのパケットの最大パケット長を決定する第３ステップと、
前記最大パケット長に収納できる範囲で、同一ヘッダ情報を有し、かつ、ヘッダが削除された複数のデータを連結し、前記最大パケット長を有する前記１つのパケット内に収容される連結データを生成する第４ステップと、
前記連結データの連結箇所に関する情報を連結情報として生成し、前記連結情報を前記連結データに付与する第５ステップと、
前記同一ヘッダ情報に相当するヘッダ情報を前記連結データに付与し、正規の通信パケットの構成として集約パケットを生成し、前記局側装置に送信する第６ステップと
を有し、
前記局側装置において、
前記複数の加入者装置のそれぞれから送信される前記集約パケットを受信する第７ステップと、
前記集約パケットを受信した際に、前記集約パケットに含まれている前記複数のデータを前記連結情報に基づいて分解し、前記複数の通信パケットを再構築する第８ステップと
を有するパケット通信方法。
【発明の詳細な説明】
【技術分野】
【０００１】
本発明は、複数の加入者装置が、伝送路を共有して、局側装置と時分割で通信を行うポイントトゥーマルチポイントの通信システムに関するものである。
【背景技術】
【０００２】
ＦＴＴＨ（Ｆｉｂｅｒ  Ｔｏ  Ｔｈｅ  Ｈｏｍｅ）や最近のスマートフォンの普及により、急増するデータトラヒックを収容する光ネットワークの大容量化および経済化が、これまで以上に求められている。【０００３】
現在、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）規格の１Ｇ−ＥＰＯＮ（１Ｇｉｇａｂｉｔ−Ｅｔｈｅｒｎｅｔ（登録商標）  ＰＯＮ（Ｐａｓｓｉｖｅ  Ｏｐｔｉｃａｌ  Ｎｅｔｗｏｒｋ））が普及している。【０００４】
現在普及しているＰＯＮシステムでは、時分割多重方式により、複数の加入者装置ＯＮＵ（Ｏｐｔｉｃａｌ  Ｎｅｔｗｏｒｋ  Ｕｎｉｔ）を、局側装置ＯＬＴ（Ｏｐｔｉｃａｌ  Ｌｉｎｅ  Ｔｅｒｍｉｎａｌ）に接続しており、一部の伝送路を、ＯＮＵ同士で共有している。各ＯＮＵは、ＯＬＴから許可された時間に限って、データを送信することにより、ＯＮＵ間で送信データが衝突することを回避している。【０００５】
ＯＮＵは、ユーザ宅、オフィス、携帯基地局などに設置される。そして、ユーザの端末からは、可変長のイーサネット（登録商標）の信号が入出力されることが一般的である。ＯＬＴは、ＯＮＵから要求されたイーサネットパケット蓄積量に基づいて、ＯＮＵに対して送信許可時間を通知する。そして、ＯＮＵは、送信が許可された時間内で、自身が保持している送信待ちのイーサネットパケットを、順に出力する。【０００６】
ＯＬＴは、ＯＮＵにて送信待ちしている可変長イーサネットパケットのそれぞれの長さを考慮できない。このため、ＯＬＴがＯＮＵに割り当てた送信可能時間（ＧＲＡＮＴ長）は、必ずしも送信可能なイーサネットパケット長の総計と一致しないケースがある。【０００７】
従って、ＯＬＴからの送信許可時間がＯＮＵの要求時間以下の場合において、送信可能な時間は残っているが、その長さと合致するイーサネットパケットが無い状況が生じる。このような状況により、ＯＮＵは、割り当てられた送信時間の全てを使用できず、割り当てられた時間が無駄になり、理想的なイーサネットパケットの伝送速度を出すことができないことがある。【０００８】
これに対して、残された送信可能時間に合わせて、イーサネットパケットを分割送信し、割り当てられた時間を全て使い切る方法が従来技術として開示されている（例えば、特許文献１参照）。
【先行技術文献】
【特許文献】
【０００９】
【特許文献１】特許第４１６９５９５号公報
【発明の概要】
【発明が解決しようとする課題】
【００１０】
しかしながら、従来技術には、以下のような課題がある。
従来技術は、ＧＲＡＮＴ長の末尾の余剰領域での利用効率の改善を実現可能である。従って、このような従来技術は、ＯＮＵからのイーサネットパケット蓄積量に基づいてＯＬＴが割り当てを行うＰＯＮシステムでは、有効である。【００１１】
ただし、ＯＮＵからの要求量ではなく、ＰＯＮを通信伝送路として使用するアプリケーション間での送信要求をもとに、ＯＬＴがＯＮＵへＧＲＡＮＴ長の割り当てを行うようなＰＯＮシステムに対しては、必ずしも有効ではない。このようなＰＯＮシステムでは、アプリケーションで必要な通信データをＯＮＵへ送信するためにイーサネットパケット化する際に、どのようなパケット長やパケット数でパケット化されるかを、ＯＬＴで判断できない。【００１２】
このため、イーサネットパケットごとに付与されるオーバーヘッド長を、ＯＬＴからＯＮＵへのＧＲＡＮＴ長に加味できない。この結果、実際にアプリケーションが送信を行いたいタイミングで、十分な割り当てが得られないケースがある。すなわち、従来技術では、十分な伝送速度を得ることができない問題があった。【００１３】
また、従来技術において、ＯＬＴは、ＧＲＡＮＴ長を算出する際に、イーサネットヘッダ分のマージンを上乗せすることになる。この結果、時分割多重で通信を行っているＰＯＮ区間の利用効率が落ちる問題もあった。【００１４】
さらに、従来技術においてイーサネットパケットを分割送信する際に、ＩＥＥＥ８０２．３規格で規定されているパケットの先頭および末尾を示すコードに加え、分割を示す特殊コードを挿入する必要がある。この結果、ＩＥＥＥ準拠のみの機能では、実現できないという問題もあった。【００１５】
本発明は、かかる課題を解決するためになされたものであり、ＯＬＴからの割り当て量が十分でない場合においても、ＯＮＵからのデータ送信を滞りなく行うことが可能となり、伝送速度の向上とともに、伝送遅延の低減を実現できるパケット通信システム、加入者装置、局側装置、およびパケット通信方法を提供することを目的とする。
【課題を解決するための手段】
【００１６】
本発明に係るパケット通信システムは、複数の加入者装置が伝送路を共有し、時分割多重方式で、局側装置と通信を行うパケット通信システムにおいて、複数の加入者装置のそれぞれは、入力された複数の通信パケットに関して、同一ヘッダ情報を有する通信パケットから重複するヘッダ情報を削除して、ヘッダ情報を削除後のそれぞれの通信パケットに存在する複数のデータを連結し、連結情報を付与した集約パケットを生成し、生成した集約パケットを正規の通信パケットとして局側装置に送信する集約パケット生成器を有し、局側装置は、集約パケットを受信した際に、集約パケットに含まれている複数のデータを連結情報に基づいて分解し、複数の通信パケットを再構築する分解パケット生成器を有するものである。【００１７】
また、本発明に係る加入者装置は、複数の加入者装置が伝送路を共有し、時分割多重方式で、局側装置と通信を行うパケット通信システムに適用される加入者装置であって、入力された複数の通信パケットの宛先情報が含まれるヘッダをチェックし、同一ヘッダ情報を有するパケットを判別するヘッダチェック部と、複数の通信パケットのヘッダを削除するヘッダ削除部と、複数の加入者装置のそれぞれが送信する通信パケットの最大パケット長を決定する最大パケット長決定部と、最大パケット長に収納できる範囲で、同一ヘッダ情報を有し、かつ、ヘッダが削除された複数のデータを連結し、最大パケット長を有する１つのパケット内に収容される連結データを生成するパッキング部と、連結データの連結箇所に関する情報を連結情報として、連結データに付与する連結情報付与部と、同一ヘッダ情報を連結データに付与し、１つのパケットを正規の通信パケットの構成とするヘッダ付与部とを含んで構成される集約パケット生成器を有するものである。【００１８】
また、本発明に係る局側装置は、複数の加入者装置が伝送路を共有し、時分割多重方式で、局側装置と通信を行うパケット通信システムに適用される局側装置であって、複数の加入者装置のそれぞれに入力された複数の通信パケットに関して、同一ヘッダ情報を有する通信パケットから重複するヘッダ情報を削除して、ヘッダ情報を削除後のそれぞれの通信パケットに存在する複数のデータを連結し、連結情報を付与した集約パケットを、複数の加入者装置のそれぞれから受信する受信器と、集約パケットを受信した際に、集約パケットに含まれている複数のデータを連結情報に基づいて分解し、複数の通信パケットを再構築する分解パケット生成器とを有するものである。【００１９】
さらに、本発明に係るパケット通信方法は、複数の加入者装置が伝送路を共有し、時分割多重方式で、局側装置と通信を行うパケット通信方法において、複数の加入者装置のそれぞれにおいて、入力された複数の通信パケットの宛先情報が含まれるヘッダをチェックし、前一ヘッダ情報を有するパケットを判別する第１ステップと、複数の通信パケットのヘッダを削除する第２ステップと、複数の加入者装置のそれぞれが送信する１つのパケットの最大パケット長を決定する第３ステップと、最大パケット長に収納できる範囲で、同一ヘッダ情報を有し、かつ、ヘッダが削除された複数のデータを連結し、最大パケット長を有する１つのパケット内に収容される連結データを生成する第４ステップと、連結データの連結箇所に関する情報を連結情報として生成し、連結情報を連結データに付与する第５ステップと、同一ヘッダ情報に相当するヘッダ情報を連結データに付与し、正規の通信パケットの構成として集約パケットを生成し、局側装置に送信する第６ステップとを有し、局側装置において、複数の加入者装置のそれぞれから送信される集約パケットを受信する第７ステップと、集約パケットを受信した際に、集約パケットに含まれている複数のデータを連結情報に基づいて分解し、複数の通信パケットを再構築する第８ステップとを有するものである。
【発明の効果】
【００２０】
本発明によれば、ヘッダやパケット間ギャップを削減し、複数のデータを連結したパケットをＯＮＵからＬＴＯＯＬＴに送信し、ＬＴＯＯＬＴにおいて正規のパケットを再構築できる構成を備えている。この結果、ＯＬＴからの割り当て量が十分でない場合においても、ＯＮＵからのデータ送信を滞りなく行うことが可能となり、伝送速度の向上とともに、伝送遅延の低減を実現できるパケット通信システム、加入者装置、局側装置、およびパケット通信方法を得ることができる。
【図面の簡単な説明】
【００２１】
【図１】本発明の実施の形態１におけるパケット通信システムの構成を示す図である。
【図２】本発明の実施の形態１に係るパケット通信システムのハードウェア構成を示した図である。
【図３】本発明の実施の形態１に係るＯＮＵの機能ブロック構成を示した図である。
【図４】本発明の実施の形態１に係るＯＬＴの機能ブロック構成を示した図である。
【図５】本発明の実施の形態１に係るパケット通信システムで用いられる、ＩＥＥＥ８０２．３にて規定されている可変長のイーサネットパケットを示した図である。
【図６】本発明の実施の形態１に係るＯＮＵ内のヘッダ付与部からＰＯＮ送受信制御部に出力される１つのイーサネットパケットを示した図である。
【図７】本発明の実施の形態２に係るＯＬＴの機能ブロック構成を示したである。
【発明を実施するための形態】
【００２２】
以下、本発明のパケット通信システム、加入者装置、局側装置、およびパケット通信方法の好適な実施の形態につき図面を用いて説明する。
【００２３】
実施の形態１．
図１は、本発明の実施の形態１におけるパケット通信システムの構成を示す図である。光カプラ４および光ファイバ５を介して、ＯＬＴ１と、ＯＮＵ２、３とが接続されている。この結果、複数の端末１５、１６を収容する無線子局６、７と、無線親局８、９とが接続される。ここで、無線子局６は、無線親局８とのみ通信し、無線子局７は、無線親局９とのみ通信するものとする。
【００２４】
端末１６は、蓄積されていた送信待ちのデータ１８を、無線親局９からの送信許可により、無線子局７へ送信する。無線子局７は、端末１６から受信したデータ１８を、可変長のイーサネットパケットに収めたパケット１４として、ＯＮＵ３へ送信する。端末１５からのデータ１７も、同様に、無線子局６からＯＮＵ２へ送信される。
【００２５】
ＯＮＵ２、３からＯＬＴ１への送信データは、光カプラ４での衝突を避けるため、時分割多重方式により、ＯＮＵ２、３からの送信タイミングが制御されている。
【００２６】
図２は、本発明の実施の形態１に係るパケット通信システムのハードウェア構成を示した図である。ＯＮＵ１００は、ＰＯＮ光送受信器４００、ＰＯＮアクセス制御プロセッサ４０１、イーサネット処理プロセッサ４０２、イーサネットインターフェース４０３、およびパケットメモリ４０４を備えて構成されている。
【００２７】
また、ＯＬＴ２００は、ＰＯＮ光送受信器４１０、ＰＯＮアクセス制御プロセッサ４１１、イーサネット処理プロセッサ４１２、イーサネットインターフェース４１３、およびパケットメモリ４１４を備えて構成されている。
【００２８】
本実施の形態１では、ＯＮＵ１００内のＰＯＮ光送受信器４００およびＰＯＮアクセス制御プロセッサ４０１イーサネット処理プロセッサ４０２と、ＯＬＴ２００内のＰＯＮ光送受信器４１０およびＰＯＮアクセス制御プロセッサ４１１イーサネット処理プロセッサ４０２と、に技術的特徴を有しており、以下にそれらの機能を、図３〜図６を用いて詳細に説明する。
【００２９】
図３は、本発明の実施の形態１に係るＯＮＵの機能ブロック構成を示した図である。なお、図３に示したＯＮＵ１００の中で、ＰＯＮ送受信制御部１１１以外の構成は、集約パケット生成器に相当する。
【００３０】
無線子局１０５とＯＮＵ１００が接続されている。そして、ＯＮＵ１００内のヘッダチェック部１０３は、無線子局１０５から入力されたイーサネットパケットの宛先、送信元、タイプなどのヘッダをチェックする機能を有している。ヘッダ削除部１０２は、削除が可能なイーサネットヘッダを削除する機能を有している。
【００３１】
最大パケット長決定部１０６は、ＰＯＮ区間を伝送する最大のイーサネットパケット長を決定する機能を有している。出力パケット数算出部１０７は、ＯＮＵの１回の送信機会に出力するパケット数を決定する機能を有している。パッキング部１０１は、バッファ部から読み出したパケットを連結・分割する機能を有している。
【００３２】
連結情報付与部１０９は、イーサネットパケット内に収容するデータの連結・分割に関する情報を付与する機能を有する。ヘッダ付与部１０８は、新たなイーサネットヘッダを付与する機能を有する。ＰＯＮ送受信制御部１１１は、ＯＬＴとの間でＩＥＥＥ８０２．３に規定されているＰＯＮの送受信制御を行う機能を有している。
【００３３】
そして、図３に示したＯＮＵ１００内のこれらＰＯＮ送受信制御部１１１の機能は、図２に示したＰＯＮ光送受信器４００およびＰＯＮアクセス制御プロセッサ４０１で実現される。
【００３４】
図４は、本発明の実施の形態１に係るＯＬＴの機能ブロック構成を示した図である。なお、図４に示したＯＬＴ２００の中で、パケット再構成部２０４は、分解パケット生成器に相当する。
【００３５】
ＯＬＴ２００と無線親局２０２、２０６のそれぞれとが接続されている。ＰＯＮ送受信制御部２０１は、ＯＮＵとの間でＩＥＥＥ８０２．３に規定されているＰＯＮの送受信制御を行う機能を有している。
【００３６】
スイッチ部２０３、２０５は、無線親局２０２、２０６との間で、イーサネットパケットの送受信を行う機能を有している。パケット再構成部２０４は、連結・分割されたイーサネットパケットのそれぞれに、イーサネットヘッダを付与し、イーサネットパケットを再構築する機能を有している。
【００３７】
そして、図４に示したＯＬＴ２００内のこれらＰＯＮ送受信制御部２０１の機能は、図２に示したＰＯＮ光送受信器４１０およびＰＯＮアクセス制御プロセッサ４１１で実現される。
【００３８】
次に、動作について説明する。無線子局１０５を介して端末から送信要求があると、無線親局２０２もしくは無線親局２０６は、端末に対し、送信許可を与える。無線子局１０５が端末よりデータを受信すると、ＩＥＥＥ８０２．３にて規定されている可変長の１つまたは複数のイーサネットパケットに変換し、ＯＮＵ１００に送信する。
【００３９】
図５は、本発明の実施の形態１に係るパケット通信システムで用いられる、ＩＥＥＥ８０２．３にて規定されている可変長のイーサネットパケットを示した図である。この図５は、加入者装置ＯＮＵへの入力パケット構成に相当する。なお、図５においては、データ１、データ２の２つのデータが埋め込まれたイーサネットパケットを示している。
【００４０】
ＯＮＵ１００のヘッダチェック部１０３は、イーサネットヘッダである宛先、送信元、タイプやＶＬＡＮタグをイーサネットパケットごとに確認する。さらに、ヘッダチェック部１０３は、イーサネットヘッダとパケットデータ長を出力パケット数算出部１０７へ出力する。
【００４１】
また、ヘッダ削除部１０２は、一旦すべてのイーサネットヘッダを削除し、パッキング部１０１にデータとして蓄積させる。
【００４２】
出力パケット数算出部１０７は、ＰＯＮ送受信制御部１１１から、ＯＬＴより割り当てられたＧＲＡＮＴ長を受信すると、最大パケット長決定部１０６で決定した最大イーサネットパケット長を、１つのＧＲＡＮＴ長の時間内にいくつ含めることができるかを、出力パケット数として算出する。そして、出力パケット数算出部１０７は、ＧＲＡＮＴ長の終了タイミングまで、パッキング部１０１に対して、後述する連結処理の指示を行う。
【００４３】
ＧＲＡＮＴ長に合わせて最大イーサネットパケット長のイーサネットパケットを、複数収容するケースでは、ＧＲＡＮＴ長の最後に剰余分が発生する場合がある。その場合には、出力パケット数算出部１０７は、最後に収容されるイーサネットパケットに関しては、ＧＲＡＮＴ長に収まるイーサネットパケット長とするように、パッキング部１０１に対して出力の指示を行う。
【００４４】
パッキング部１０１は、ヘッダチェック部１０３で同一のヘッダ情報をもつデータを連結する。また、パッキング部１０１は、データ長が長すぎ、１つのイーサネットパケットに収容できない場合には、データを分割して２つ以上のイーサネットパケットに収容する。このように、１つのデータを２つ以上のイーサネットパケットに分割した場合の情報も、連結情報に含まれるものとする。
【００４５】
連結情報付与部１０９は、パッキングされたデータの末尾に連結情報を付与する。さらに、ヘッダ付与部１０８は、該当するイーサネットヘッダを付与し、１つのイーサネットパケットとして、ＰＯＮ送受信制御部１１１に出力する。
【００４６】
図６は、本発明の実施の形態１に係るＯＮＵ１００内のヘッダ付与部１０８からＰＯＮ送受信制御部１１１に出力される１つのイーサネットパケットを示した図である。この図６は、加入者装置ＯＮＵの送信パケット構成に相当する。図６に示すイーサネットパケットは、ＩＥＥＥ８０２．３で規定されているフォーマットであり、特殊な機能を必要せず、ＯＬＴへの伝送が可能である。
【００４７】
図５の構成と図６の構成との対比から明らかなように、本実施の形態１におけるＯＮＵ１００は、重複するイーサネットヘッダを削除し、最大パケット長に合わせて、複数のデータを連続して組み込むようにして、集約したイーサネットパケットを再構成し、連結情報とともに送信することができる。さらに、このような集約処理を施したイーサネットパケットを、ＧＲＡＮＴ長に収容可能な数だけ連続して送信することができる。
【００４８】
一方、ＯＬＴ２００のＰＯＮ送受信制御部２０１は、ＯＮＵ１００から受信したイーサネットパケットを、パケット再構成部２０４へ出力する。パケット再構成部２０４は、イーサネットパケット末尾の連結情報をもとに、データを分解し、各々に同じイーサネットヘッダを付与する。さらに、スイッチ部２０５は、イーサネットパケットの送信元である無線子局に対応した無線親局に、イーサネットヘッダ付与後の正規のイーサネットパケットを出力する。
【００４９】
このように、本実施の形態１におけるＯＮＵは、図３に示したような機能ブロックとして構成される集約パケット生成器を備えている、そして、この集約パケット生成器は、ＯＮＵを通過する際に、重複するイーサネットヘッダを削除し、図６に例示したように、集約したイーサネットパケットを生成し、ＬＴＵＯＬＴに送信することができる。
【００５０】
一方、本実施の形態１におけるＬＴＵＯＬＴは、図４に示したような機能ブロックとして構成される分解パケット生成器を備えている、そして、この分解パケット生成器は、ＯＮＵから受信した集約パケットを連結情報に基づいて分解して、個々のデータにイーサネットヘッダが付与された正規のイーサネットパケットを再構築することができる。
【００５１】
以上のように、実施の形態１によれば、ＯＮＵ側において、集約パケット生成器を備え、ＬＴＵＯＬＴ側において、分解パケット生成器を備えたパケット通信システムを実現している。この結果、イーサネットヘッダやイーサネットパケット間のギャップを不要にできる。従って、ＯＬＴからの割り当て量が十分でない場合においても、ＯＮＵからのデータ送信を滞りなく行うことが可能となり、伝送速度の向上とともに、伝送遅延の低減を実現できる。
【００５２】
さらに、実施の形態１によれば、データの連結情報をイーサネットパケットの末尾に付与する構成を備えている。このような構成を備えることにより、ＯＮＵの送信終了時間間際にＯＮＵに到着したイーサネットパケットも出力可能となり、伝送速度の向上とともに、伝送遅延の低減を実現できる。
【００５３】
実施の形態２．
先の実施の形態１では、ＯＬＴが、ＯＮＵから要求されたデータ量に応じてＧＲＡＮＴ長を与える場合について説明した。これに対して、本実施の形態２では、ＯＬＴ内において、ＯＬＴが割り当てるＧＲＡＮＴ長に、最大イーサネットパケット長を反映する場合について説明する。
【００５４】
図７は、本発明の実施の形態２に係るＯＬＴの機能ブロック構成を示した図である。先の実施の形態１における図３の構成と比較すると、図７に示したＯＬＴ３１０は、受信情報抽出部３００、ＰＯＮ帯域算出部３０１、および最大パケット長決定部３０２をさらに備えている点が異なっている。そこで、これらの相違点を中心に、以下に説明する。
【００５５】
受信情報抽出部３００は、上位装置である無線親局２０２、２０６に到着予定のデータ量３０３、３０４を受信し、ＯＬＴ３１０に到着するデータ量とタイミングを算出する機能を有している。
【００５６】
最大パケット長決定部３０２は、ＰＯＮ区間で伝送される最大のイーサネットパケット長を決定する機能を有している。さらに、ＰＯＮ帯域算出部３０１は、ＯＮＵへのＧＲＡＮＴ長を算出する機能を有している。なお、ＯＮＵの構成は、先の実施の形態１と同じである。
【００５７】
次に、動作について説明する。ＯＬＴ３１０内の最大パケット長決定部３０２は、あらかじめＯＮＵ１００との間でＯＮＵ１００が送信する最大のイーサネットパケット長を調整し、決定する。受信情報抽出部３００は、データ量３０３、３０４から、ＯＬＴ３１０に到着するタイミングとデータ量を算出し、ＰＯＮ帯域算出部３０１へ出力する。
【００５８】
ＰＯＮ帯域算出部３０１は、到着するデータ量が最大イーサネットパケット長で送信されることを想定して、ＧＲＡＮＴ長を決定し、ＯＮＵ１００へ伝達する。ＯＮＵ１００の動作は、先の実施の形態１と同じである。
【００５９】
以上のように、実施の形態２によれば、ＯＬＴとＯＮＵの間で最大イーサネットパケット長を定義することにより、ＯＬＴが割り当てるＧＲＡＮＴ長に、最大イーサネットパケット長を反映できる構成を備えている。この結果、ＯＬＴがＧＲＡＮＴ長を算出する際に、イーサネットパケット数を割り出すことが可能となり、イーサネットパケットに付随するオーバーヘッド長を正確に把握し、ＯＮＵがデータを送信するために必要なＧＲＡＮＴ長を過不足なく割り当てることができる。
【００６０】
実施の形態３．
先の実施の形態１では、データの連結・分割に関する情報である連結情報を、イーサネットパケットの末尾に付与する場合について説明した。これに対して、本実施の形態３では、このような連結情報を、イーサネットヘッダの直後に付与する場合について説明する。
【００６１】
本実施の形態３における構成は、先の実施の形態１と同じである。ＯＮＵ１００がイーサネットパケットを無線子局１０５から受信すると、ヘッダチェック部１０３、ヘッダ削除部１０２で、先の実施の形態１と同じ処理を行う。
【００６２】
出力パケット数算出部１０７は、最大パケット長決定部１０６で決定した最大イーサネットパケット長に従って、ＧＲＡＮＴ長に収容可能なイーサネットパケット数とデータ長を算出し、パッキング部１０１に出力の指示を行う。
【００６３】
連結情報付与部１０９は、データの先頭に連結情報を付与し、ヘッダ付与部１０８へ出力する。ヘッダ付与部１０８は、イーサネットヘッダを先頭に付与し、１つのイーサネットパケットとする。
【００６４】
ＯＬＴ２００は、ＯＮＵ１００からのイーサネットパケットを受信すると、先頭に付与された連結情報に基づき、イーサネットパケットの再構築を逐次行う。
【００６５】
以上のように、実施の形態３によれば、連結情報をイーサネットパケットの先頭部分に付与する構成を備えている。この結果、ＯＬＴにてイーサネットパケットを再構築する際に、連結情報をもとに、順次、再構築することが可能となる。従って、ＯＬＴの内部でのイーサネットパケットの滞留時間が短くなることにより、伝送遅延を低減できる。
【図１】
2017168494.tif 000003
【図２】
2017168494.tif 000004
【図３】
2017168494.tif 000005
【図４】
2017168494.tif 000006
【図５】
2017168494.tif 000007
【図６】
2017168494.tif 000008
【図７】
2017168494.tif 000009
【手続補正書】
【提出日】平成28年8月5日(2016.8.5)
【手続補正１】
【補正対象書類名】明細書
【補正対象項目名】００１６
【補正方法】変更
【補正の内容】
【００１６】
本発明に係るパケット通信システムは、複数の加入者装置が伝送路を共有し、時分割多重方式で、局側装置と通信を行うパケット通信システムにおいて、複数の加入者装置のそれぞれは、入力された複数の通信パケットに関して、同一ヘッダ情報を有する通信パケットから重複するヘッダ情報を削除して、ヘッダ情報を削除後のそれぞれの通信パケットに存在する複数のデータを連結し、連結情報を付与した集約パケットを生成し、生成した集約パケットを正規の通信パケットとして局側装置に送信する集約パケット生成器を有し、局側装置は、集約パケットを受信した際に、集約パケットに含まれている複数のデータを連結情報に基づいて分解し、複数の通信パケットを再構築する分解パケット生成器を有し、集約パケット生成器は、入力された複数の通信パケットの宛先情報が含まれるヘッダをチェックし、同一ヘッダ情報を有するパケットを判別するヘッダチェック部と、複数の通信パケットのヘッダを削除するヘッダ削除部と、複数の加入者装置のそれぞれが送信する１つのパケットの最大パケット長を、局側装置と通信を行うことで決定する最大パケット長決定部と、最大パケット長に収納できる範囲で、同一ヘッダ情報を有し、かつ、ヘッダが削除された複数のデータを連結もしくは分割し、最大パケット長を有する１つのパケット内に収容される連結データを生成するパッキング部と、連結データの連結箇所に関する情報を連結情報として生成し、連結情報を連結データに付与する連結情報付与部と、同一ヘッダ情報に相当するヘッダ情報を連結データに付与し、１つのパケットを正規の通信パケットの構成とするヘッダ付与部とを含むものである。
【手続補正２】
【補正対象書類名】明細書
【補正対象項目名】００１７
【補正方法】変更
【補正の内容】
【００１７】
また、本発明に係る加入者装置は、複数の加入者装置が伝送路を共有し、時分割多重方式で、局側装置と通信を行うパケット通信システムに適用される加入者装置であって、入力された複数の通信パケットの宛先情報が含まれるヘッダをチェックし、同一ヘッダ情報を有するパケットを判別するヘッダチェック部と、複数の通信パケットのヘッダを削除するヘッダ削除部と、複数の加入者装置のそれぞれが送信する通信パケットの最大パケット長を決定する最大パケット長決定部と、最大パケット長に収納できる範囲で、同一ヘッダ情報を有し、かつ、ヘッダが削除された複数のデータを連結し、最大パケット長を有する１つのパケット内に収容される連結データを生成するパッキング部と、連結データの連結箇所に関する情報を連結情報として、連結データに付与する連結情報付与部と、同一ヘッダ情報を連結データに付与し、１つのパケットを正規の通信パケットの構成とすることで集約パケットを生成するヘッダ付与部とを含んで構成される集約パケット生成器と、集約パケットの蓄積量に応じて、局側装置に対して帯域要求を行う送受信制御部とを有するものである。
【手続補正３】
【補正対象書類名】明細書
【補正対象項目名】００１８
【補正方法】変更
【補正の内容】
【００１８】
また、本発明に係る局側装置は、複数の加入者装置が伝送路を共有し、時分割多重方式で、局側装置と通信を行うパケット通信システムに適用される局側装置であって、複数の加入者装置のそれぞれと通信を行い、伝送路を共有する区間の最大パケット長を決定する最大パケット長決定部と、複数の加入者装置のそれぞれに入力された複数の通信パケットに関して、同一ヘッダ情報を有する通信パケットから重複するヘッダ情報を削除して、ヘッダ情報を削除後のそれぞれの通信パケットに存在する複数のデータを連結し、連結情報を付与した集約パケットを、複数の加入者装置のそれぞれから受信する受信器と、集約パケットを受信した際に、集約パケットに含まれている複数のデータを連結情報に基づいて分解し、複数の通信パケットを再構築する分解パケット生成器とを有するものである。
【手続補正４】
【補正対象書類名】明細書
【補正対象項目名】００１９
【補正方法】変更
【補正の内容】
【００１９】
さらに、本発明に係るパケット通信方法は、複数の加入者装置が伝送路を共有し、時分割多重方式で、局側装置と通信を行うパケット通信方法において、複数の加入者装置のそれぞれにおいて、入力された複数の通信パケットの宛先情報が含まれるヘッダをチェックし、前一ヘッダ情報を有するパケットを判別する第１ステップと、複数の通信パケットのヘッダを削除する第２ステップと、複数の加入者装置のそれぞれが送信する１つのパケットの最大パケット長を局側装置と通信を行い決定する第３ステップと、最大パケット長に収納できる範囲で、同一ヘッダ情報を有し、かつ、ヘッダが削除された複数のデータを連結もしくは分割し、最大パケット長を有する１つのパケット内に収容される連結データを生成する第４ステップと、連結データの連結箇所に関する情報を連結情報として生成し、連結情報を連結データに付与する第５ステップと、同一ヘッダ情報に相当するヘッダ情報を連結データに付与し、正規の通信パケットの構成として集約パケットを生成し、局側装置に送信する第６ステップとを有し、局側装置において、複数の加入者装置のそれぞれから送信される集約パケットを受信する第７ステップと、集約パケットを受信した際に、集約パケットに含まれている複数のデータを連結情報に基づいて分解し、複数の通信パケットを再構築する第８ステップとを有するものである。
【手続補正５】
【補正対象書類名】特許請求の範囲
【補正対象項目名】全文
【補正方法】変更
【補正の内容】
【特許請求の範囲】
【請求項１】
複数の加入者装置が伝送路を共有し、時分割多重方式で、局側装置と通信を行うパケット通信システムにおいて、
前記複数の加入者装置のそれぞれは、入力された複数の通信パケットに関して、同一ヘッダ情報を有する通信パケットから重複するヘッダ情報を削除して、前記ヘッダ情報を削除後のそれぞれの通信パケットに存在する複数のデータを連結し、連結情報を付与した集約パケットを生成し、生成した前記集約パケットを正規の通信パケットとして前記局側装置に送信する集約パケット生成器を有し、
前記局側装置は、前記集約パケットを受信した際に、前記集約パケットに含まれている前記複数のデータを前記連結情報に基づいて分解し、前記複数の通信パケットを再構築する分解パケット生成器を有し、
前記集約パケット生成器は、
入力された前記複数の通信パケットの宛先情報が含まれるヘッダをチェックし、前記同一ヘッダ情報を有するパケットを判別するヘッダチェック部と、
前記複数の通信パケットのヘッダを削除するヘッダ削除部と、
前記複数の加入者装置のそれぞれが送信する１つのパケットの最大パケット長を、前記局側装置と通信を行うことで決定する最大パケット長決定部と、
前記最大パケット長に収納できる範囲で、同一ヘッダ情報を有し、かつ、ヘッダが削除された複数のデータを連結もしくは分割し、前記最大パケット長を有する前記１つのパケット内に収容される連結データを生成するパッキング部と、
前記連結データの連結箇所に関する情報を連結情報として生成し、前記連結情報を前記連結データに付与する連結情報付与部と、
前記同一ヘッダ情報に相当するヘッダ情報を前記連結データに付与し、前記１つのパケットを正規の通信パケットの構成とするヘッダ付与部と
を含む
パケット通信システム。
【請求項２】
前記集約パケット生成器は、前記最大パケット長決定部で決定された前記最大パケット長および前記局側装置から割り当てられた送信可能時間をもとに、１回の送信機会で連続して送信可能な前記最大パケット長のパケット数を算出するパケット数算出部をさらに含み、
前記パッキング部は、前記パケット数および前記最大パケット長に基づいて、前記連結データを生成する
請求項１に記載のパケット通信システム。
【請求項３】
前記局側装置は、
前記加入者装置と通信を行うことで、前記最大パケット長を決定する最大パケット長決定器と、
上位装置である無線親局から、前記無線親局に到着予定のデータ量に関する情報を受信する受信情報抽出器と、
前記無線親局に到着予定の前記データ量が前記最大パケット長で前記加入者装置から送信されることを想定して、前記送信可能時間を決定し、決定した前記送信可能時間を前記加入者装置に送信する帯域算出器と
をさらに有する請求項２に記載のパケット通信システム。
【請求項４】
複数の加入者装置が伝送路を共有し、時分割多重方式で、局側装置と通信を行うパケット通信システムに適用される加入者装置であって、
入力された複数の通信パケットの宛先情報が含まれるヘッダをチェックし、同一ヘッダ情報を有するパケットを判別するヘッダチェック部と、
前記複数の通信パケットのヘッダを削除するヘッダ削除部と、
前記複数の加入者装置のそれぞれが送信する通信パケットの最大パケット長を決定する最大パケット長決定部と、
前記最大パケット長に収納できる範囲で、同一ヘッダ情報を有し、かつ、ヘッダが削除された複数のデータを連結し、前記最大パケット長を有する１つのパケット内に収容される連結データを生成するパッキング部と、
前記連結データの連結箇所に関する情報を連結情報として、前記連結データに付与する連結情報付与部と、
前記同一ヘッダ情報を前記連結データに付与し、前記１つのパケットを正規の通信パケットの構成とすることで集約パケットを生成するヘッダ付与部と
を含んで構成される集約パケット生成器と、
前記集約パケットの蓄積量に応じて、前記局側装置に対して帯域要求を行う送受信制御部と
を有する加入者装置。
【請求項５】
複数の加入者装置が伝送路を共有し、時分割多重方式で、局側装置と通信を行うパケット通信システムに適用される局側装置であって、
前記複数の加入者装置のそれぞれと通信を行い、前記伝送路を共有する区間の最大パケット長を決定する最大パケット長決定部と、
前記複数の加入者装置のそれぞれに入力された複数の通信パケットに関して、同一ヘッダ情報を有する通信パケットから重複するヘッダ情報を削除して、前記ヘッダ情報を削除後のそれぞれの通信パケットに存在する複数のデータを連結し、連結情報を付与した集約パケットを、前記複数の加入者装置のそれぞれから受信する受信器と、
前記集約パケットを受信した際に、前記集約パケットに含まれている前記複数のデータを前記連結情報に基づいて分解し、前記複数の通信パケットを再構築する分解パケット生成器と
を有する局側装置。
【請求項６】
複数の加入者装置が伝送路を共有し、時分割多重方式で、局側装置と通信を行うパケット通信方法において、
前記複数の加入者装置のそれぞれにおいて、
入力された複数の通信パケットの宛先情報が含まれるヘッダをチェックし、前一ヘッダ情報を有するパケットを判別する第１ステップと、
前記複数の通信パケットのヘッダを削除する第２ステップと、
前記複数の加入者装置のそれぞれが送信する１つのパケットの最大パケット長を局側装置と通信を行い決定する第３ステップと、
前記最大パケット長に収納できる範囲で、同一ヘッダ情報を有し、かつ、ヘッダが削除された複数のデータを連結もしくは分割し、前記最大パケット長を有する前記１つのパケット内に収容される連結データを生成する第４ステップと、
前記連結データの連結箇所に関する情報を連結情報として生成し、前記連結情報を前記連結データに付与する第５ステップと、
前記同一ヘッダ情報に相当するヘッダ情報を前記連結データに付与し、正規の通信パケットの構成として集約パケットを生成し、前記局側装置に送信する第６ステップと
を有し、
前記局側装置において、
前記複数の加入者装置のそれぞれから送信される前記集約パケットを受信する第７ステップと、
前記集約パケットを受信した際に、前記集約パケットに含まれている前記複数のデータを前記連結情報に基づいて分解し、前記複数の通信パケットを再構築する第８ステップと
を有するパケット通信方法。
【手続補正書】
【提出日】平成28年11月16日(2016.11.16)
【手続補正１】
【補正対象書類名】明細書
【補正対象項目名】００１６
【補正方法】変更
【補正の内容】
【００１６】
本発明に係るパケット通信システムは、複数の加入者装置が伝送路を共有し、時分割多重方式で、局側装置と通信を行うパケット通信システムにおいて、複数の加入者装置のそれぞれは、入力された複数の通信パケットに関して、同一ヘッダ情報を有する通信パケットから重複するヘッダ情報を削除して、ヘッダ情報を削除後のそれぞれの通信パケットに存在する複数のデータを連結し、連結情報を付与した集約パケットを生成し、生成した集約パケットを正規の通信パケットとして局側装置に送信する集約パケット生成器を有し、局側装置は、集約パケットを受信した際に、集約パケットに含まれている複数のデータを連結情報に基づいて分解し、複数の通信パケットを再構築する分解パケット生成器を有し、集約パケット生成器は、入力された複数の通信パケットの宛先情報が含まれるヘッダをチェックし、同一ヘッダ情報を有するパケットを判別するヘッダチェック部と、複数の通信パケットのヘッダを削除するヘッダ削除部と、複数の加入者装置のそれぞれが送信する１つのパケットの最大パケット長を、局側装置と通信を行うことで決定する最大パケット長決定部と、最大パケット長に収納できる範囲で、同一ヘッダ情報を有し、かつ、ヘッダが削除された複数のデータを連続して連結するか、もしくは分割し、最大パケット長を有する１つのパケット内に収容される１つの連続したデータ構成を有する連結データを生成するパッキング部と、連結データの連結箇所に関する情報を連結情報として生成し、連結情報を連結データに付与する連結情報付与部と、同一ヘッダ情報に相当する１つのヘッダ情報を連結データに付与し、１つのパケットを正規の通信パケットの構成とするヘッダ付与部とを含むものである。
【手続補正２】
【補正対象書類名】明細書
【補正対象項目名】００１７
【補正方法】変更
【補正の内容】
【００１７】
また、本発明に係る加入者装置は、複数の加入者装置が伝送路を共有し、時分割多重方式で、局側装置と通信を行うパケット通信システムに適用される加入者装置であって、入力された複数の通信パケットの宛先情報が含まれるヘッダをチェックし、同一ヘッダ情報を有するパケットを判別するヘッダチェック部と、複数の通信パケットのヘッダを削除するヘッダ削除部と、複数の加入者装置のそれぞれが送信する通信パケットの最大パケット長を決定する最大パケット長決定部と、最大パケット長に収納できる範囲で、同一ヘッダ情報を有し、かつ、ヘッダが削除された複数のデータを連続して連結し、最大パケット長を有する１つのパケット内に収容される１つの連続したデータ構成を有する連結データを生成するパッキング部と、連結データの連結箇所に関する情報を連結情報として、連結データに付与する連結情報付与部と、同一ヘッダ情報に相当する１つのヘッダ情報を連結データに付与し、１つのパケットを正規の通信パケットの構成とすることで集約パケットを生成するヘッダ付与部とを含んで構成される集約パケット生成器と、集約パケットの蓄積量に応じて、局側装置に対して帯域要求を行う送受信制御部とを有するものである。
【手続補正３】
【補正対象書類名】明細書
【補正対象項目名】００１８
【補正方法】変更
【補正の内容】
【００１８】
また、本発明に係る局側装置は、複数の加入者装置が伝送路を共有し、時分割多重方式で、局側装置と通信を行うパケット通信システムに適用される局側装置であって、複数の加入者装置のそれぞれと通信を行い、伝送路を共有する区間の最大パケット長を決定する最大パケット長決定部と、複数の加入者装置のそれぞれに入力された複数の通信パケットに関して、同一ヘッダ情報を有する通信パケットから重複するヘッダ情報が削除され、重複するヘッダ情報が削除された後のそれぞれの通信パケットに存在する複数のデータが連続して連結されたことで１つの連続したデータ構成を有する連結データが生成され、連結データの連結箇所に関する情報に相当する連結情報が付与された集約パケットを、複数の加入者装置のそれぞれから受信する受信器と、集約パケットを受信した際に、集約パケットに含まれている連結データを連結情報に基づいて分解し、複数の通信パケットを再構築する分解パケット生成器とを有するものである。
【手続補正４】
【補正対象書類名】明細書
【補正対象項目名】００１９
【補正方法】変更
【補正の内容】
【００１９】
さらに、本発明に係るパケット通信方法は、複数の加入者装置が伝送路を共有し、時分割多重方式で、局側装置と通信を行うパケット通信方法において、複数の加入者装置のそれぞれにおいて、入力された複数の通信パケットの宛先情報が含まれるヘッダをチェックし、前一ヘッダ情報を有するパケットを判別する第１ステップと、複数の通信パケットのヘッダを削除する第２ステップと、複数の加入者装置のそれぞれが送信する１つのパケットの最大パケット長を局側装置と通信を行い決定する第３ステップと、最大パケット長に収納できる範囲で、同一ヘッダ情報を有し、かつ、ヘッダが削除された複数のデータを連続して連結するか、もしくは分割し、最大パケット長を有する１つのパケット内に収容される１つの連続したデータ構成を有する連結データを生成する第４ステップと、連結データの連結箇所に関する情報を連結情報として生成し、連結情報を連結データに付与する第５ステップと、同一ヘッダ情報に相当する１つのヘッダ情報を連結データに付与し、正規の通信パケットの構成として集約パケットを生成し、局側装置に送信する第６ステップとを有し、局側装置において、複数の加入者装置のそれぞれから送信される集約パケットを受信する第７ステップと、集約パケットを受信した際に、集約パケットに含まれている複数のデータを連結情報に基づいて分解し、複数の通信パケットを再構築する第８ステップとを有するものである。
【手続補正５】
【補正対象書類名】特許請求の範囲
【補正対象項目名】全文
【補正方法】変更
【補正の内容】
【特許請求の範囲】
【請求項１】
複数の加入者装置が伝送路を共有し、時分割多重方式で、局側装置と通信を行うパケット通信システムにおいて、
前記複数の加入者装置のそれぞれは、入力された複数の通信パケットに関して、同一ヘッダ情報を有する通信パケットから重複するヘッダ情報を削除して、前記ヘッダ情報を削除後のそれぞれの通信パケットに存在する複数のデータを連結し、連結情報を付与した集約パケットを生成し、生成した前記集約パケットを正規の通信パケットとして前記局側装置に送信する集約パケット生成器を有し、
前記局側装置は、前記集約パケットを受信した際に、前記集約パケットに含まれている前記複数のデータを前記連結情報に基づいて分解し、前記複数の通信パケットを再構築する分解パケット生成器を有し、
前記集約パケット生成器は、
入力された前記複数の通信パケットの宛先情報が含まれるヘッダをチェックし、前記同一ヘッダ情報を有するパケットを判別するヘッダチェック部と、
前記複数の通信パケットのヘッダを削除するヘッダ削除部と、
前記複数の加入者装置のそれぞれが送信する１つのパケットの最大パケット長を、前記局側装置と通信を行うことで決定する最大パケット長決定部と、
前記最大パケット長に収納できる範囲で、同一ヘッダ情報を有し、かつ、ヘッダが削除された複数のデータを連続して連結するか、もしくは分割し、前記最大パケット長を有する前記１つのパケット内に収容される１つの連続したデータ構成を有する連結データを生成するパッキング部と、
前記連結データの連結箇所に関する情報を連結情報として生成し、前記連結情報を前記連結データに付与する連結情報付与部と、
前記同一ヘッダ情報に相当する１つのヘッダ情報を前記連結データに付与し、前記１つのパケットを正規の通信パケットの構成とするヘッダ付与部と
を含む
パケット通信システム。
【請求項２】
前記集約パケット生成器は、前記最大パケット長決定部で決定された前記最大パケット長および前記局側装置から割り当てられた送信可能時間をもとに、１回の送信機会で連続して送信可能な前記最大パケット長のパケット数を算出するパケット数算出部をさらに含み、
前記パッキング部は、前記パケット数および前記最大パケット長に基づいて、前記連結データを生成する
請求項１に記載のパケット通信システム。
【請求項３】
前記局側装置は、
前記加入者装置と通信を行うことで、前記最大パケット長を決定する最大パケット長決定器と、
上位装置である無線親局から、前記無線親局に到着予定のデータ量に関する情報を受信する受信情報抽出器と、
前記無線親局に到着予定の前記データ量が前記最大パケット長で前記加入者装置から送信されることを想定して、前記送信可能時間を決定し、決定した前記送信可能時間を前記加入者装置に送信する帯域算出器と
をさらに有する請求項２に記載のパケット通信システム。
【請求項４】
複数の加入者装置が伝送路を共有し、時分割多重方式で、局側装置と通信を行うパケット通信システムに適用される加入者装置であって、
入力された複数の通信パケットの宛先情報が含まれるヘッダをチェックし、同一ヘッダ情報を有するパケットを判別するヘッダチェック部と、
前記複数の通信パケットのヘッダを削除するヘッダ削除部と、
前記複数の加入者装置のそれぞれが送信する通信パケットの最大パケット長を決定する最大パケット長決定部と、
前記最大パケット長に収納できる範囲で、同一ヘッダ情報を有し、かつ、ヘッダが削除された複数のデータを連続して連結し、前記最大パケット長を有する１つのパケット内に収容される１つの連続したデータ構成を有する連結データを生成するパッキング部と、
前記連結データの連結箇所に関する情報を連結情報として、前記連結データに付与する連結情報付与部と、
前記同一ヘッダ情報に相当する１つのヘッダ情報を前記連結データに付与し、前記１つのパケットを正規の通信パケットの構成とすることで集約パケットを生成するヘッダ付与部と
を含んで構成される集約パケット生成器と、
前記集約パケットの蓄積量に応じて、前記局側装置に対して帯域要求を行う送受信制御部と
を有する加入者装置。
【請求項５】
複数の加入者装置が伝送路を共有し、時分割多重方式で、局側装置と通信を行うパケット通信システムに適用される局側装置であって、
前記複数の加入者装置のそれぞれと通信を行い、前記伝送路を共有する区間の最大パケット長を決定する最大パケット長決定部と、
前記複数の加入者装置のそれぞれに入力された複数の通信パケットに関して、同一ヘッダ情報を有する通信パケットから重複するヘッダ情報が削除され、前記重複するヘッダ情報が削除された後のそれぞれの通信パケットに存在する複数のデータが連続して連結されたことで１つの連続したデータ構成を有する連結データが生成され、前記連結データの連結箇所に関する情報に相当する連結情報が付与された集約パケットを、前記複数の加入者装置のそれぞれから受信する受信器と、
前記集約パケットを受信した際に、前記集約パケットに含まれている前記連結データを前記連結情報に基づいて分解し、前記複数の通信パケットを再構築する分解パケット生成器と
を有する局側装置。
【請求項６】
複数の加入者装置が伝送路を共有し、時分割多重方式で、局側装置と通信を行うパケット通信方法において、
前記複数の加入者装置のそれぞれにおいて、
入力された複数の通信パケットの宛先情報が含まれるヘッダをチェックし、前一ヘッダ情報を有するパケットを判別する第１ステップと、
前記複数の通信パケットのヘッダを削除する第２ステップと、
前記複数の加入者装置のそれぞれが送信する１つのパケットの最大パケット長を局側装置と通信を行い決定する第３ステップと、
前記最大パケット長に収納できる範囲で、同一ヘッダ情報を有し、かつ、ヘッダが削除された複数のデータを連続して連結するか、もしくは分割し、前記最大パケット長を有する前記１つのパケット内に収容される１つの連続したデータ構成を有する連結データを生成する第４ステップと、
前記連結データの連結箇所に関する情報を連結情報として生成し、前記連結情報を前記連結データに付与する第５ステップと、
前記同一ヘッダ情報に相当する１つのヘッダ情報を前記連結データに付与し、正規の通信パケットの構成として集約パケットを生成し、前記局側装置に送信する第６ステップと
を有し、
前記局側装置において、
前記複数の加入者装置のそれぞれから送信される前記集約パケットを受信する第７ステップと、
前記集約パケットを受信した際に、前記集約パケットに含まれている前記連結データを前記連結情報に基づいて分解し、前記複数の通信パケットを再構築する第８ステップと
を有するパケット通信方法。
【手続補正書】
【提出日】平成29年2月28日(2017.2.28)
【手続補正１】
【補正対象書類名】明細書
【補正対象項目名】００１６
【補正方法】変更
【補正の内容】
【００１６】
本発明に係るパケット通信システムは、複数の加入者装置が伝送路を共有し、時分割多重方式で、局側装置と通信を行うパケット通信システムにおいて、複数の加入者装置のそれぞれは、入力された複数の通信パケットに関して、同一ヘッダ情報を有する通信パケットから重複するヘッダ情報を削除して、ヘッダ情報を削除後のそれぞれの通信パケットに存在する複数のデータを連結し、連結情報を付与した集約パケットを生成し、生成した集約パケットを正規の通信パケットとして局側装置に送信する集約パケット生成器を有し、局側装置は、集約パケットを受信した際に、集約パケットに含まれている複数のデータを連結情報に基づいて分解し、複数の通信パケットを再構築する分解パケット生成器を有し、集約パケット生成器は、入力された複数の通信パケットの宛先情報が含まれるヘッダをチェックし、同一ヘッダ情報を有するパケットを判別するヘッダチェック部と、複数の通信パケットのヘッダを削除するヘッダ削除部と、複数の加入者装置のそれぞれが送信する１つのパケットの最大パケット長を、局側装置と通信を行うことで決定する最大パケット長決定部と、最大パケット長に収納できる範囲で、同一ヘッダ情報を有し、かつ、ヘッダが削除された複数のデータを連続して連結するか、もしくは分割し、最大パケット長を有する１つのパケット内に収容される１つの連続したデータ構成を有する連結データを生成するパッキング部と、連結データの連結箇所に関する情報を連結情報として生成し、連結情報を連結データに付与する連結情報付与部と、同一ヘッダ情報に相当する１つのヘッダ情報を連結データに付与し、１つのパケットを正規の通信パケットの構成とするヘッダ付与部とを含み、集約パケット生成器は、最大パケット長決定部で決定された最大パケット長および局側装置から割り当てられた送信可能時間をもとに、１回の送信機会で連続して送信可能な最大パケット長のパケット数を算出するパケット数算出部をさらに含み、パッキング部は、パケット数および最大パケット長に基づいて、連結データを生成し、局側装置は、加入者装置と通信を行うことで、最大パケット長を決定する最大パケット長決定器と、上位装置である無線親局から、無線親局に到着予定のデータ量に関する情報を受信する受信情報抽出器と、無線親局に到着予定のデータ量が最大パケット長で加入者装置から送信されることを想定して、送信可能時間を決定し、決定した送信可能時間を加入者装置に送信する帯域算出器とをさらに有するものである。
【手続補正２】
【補正対象書類名】明細書
【補正対象項目名】００１８
【補正方法】変更
【補正の内容】
【００１８】
また、本発明に係る局側装置は、複数の加入者装置が伝送路を共有し、時分割多重方式で、局側装置と通信を行うパケット通信システムに適用される局側装置であって、複数の加入者装置のそれぞれと通信を行い、伝送路を共有する区間の最大パケット長を決定する最大パケット長決定部と、複数の加入者装置のそれぞれに入力された複数の通信パケットに関して、同一ヘッダ情報を有する通信パケットから重複するヘッダ情報が削除され、重複するヘッダ情報が削除された後のそれぞれの通信パケットに存在する複数のデータが連続して連結されたことで１つの連続したデータ構成を有する連結データが生成され、連結データの連結箇所に関する情報に相当する連結情報が付与された集約パケットを、複数の加入者装置のそれぞれから受信する受信器と、集約パケットを受信した際に、集約パケットに含まれている連結データを連結情報に基づいて分解し、複数の通信パケットを再構築する分解パケット生成器と、上位装置である無線親局から、無線親局に到着予定のデータ量に関する情報を受信する受信情報抽出器と、無線親局に到着予定のデータ量が最大パケット長で加入者装置から送信されることを想定して、送信可能時間を決定し、決定した送信可能時間を加入者装置に送信する帯域算出器とを有するものである。
【手続補正３】
【補正対象書類名】明細書
【補正対象項目名】００１９
【補正方法】変更
【補正の内容】
【００１９】
さらに、本発明に係るパケット通信方法は、複数の加入者装置が伝送路を共有し、時分割多重方式で、局側装置と通信を行うパケット通信方法において、複数の加入者装置のそれぞれにおいて、入力された複数の通信パケットの宛先情報が含まれるヘッダをチェックし、前一ヘッダ情報を有するパケットを判別する第１ステップと、複数の通信パケットのヘッダを削除する第２ステップと、複数の加入者装置のそれぞれが送信する１つのパケットの最大パケット長を局側装置と通信を行い決定する第３ステップと、最大パケット長に収納できる範囲で、同一ヘッダ情報を有し、かつ、ヘッダが削除された複数のデータを連続して連結するか、もしくは分割し、最大パケット長を有する１つのパケット内に収容される１つの連続したデータ構成を有する連結データを生成する第４ステップと、連結データの連結箇所に関する情報を連結情報として生成し、連結情報を連結データに付与する第５ステップと、同一ヘッダ情報に相当する１つのヘッダ情報を連結データに付与し、正規の通信パケットの構成として集約パケットを生成し、局側装置に送信する第６ステップとを有し、局側装置において、複数の加入者装置のそれぞれから送信される集約パケットを受信する第７ステップと、集約パケットを受信した際に、集約パケットに含まれている複数のデータを連結情報に基づいて分解し、複数の通信パケットを再構築する第８ステップとを有し、複数の加入者装置のそれぞれにおいて、第３ステップで決定された最大パケット長および局側装置から割り当てられた送信可能時間をもとに、１回の送信機会で連続して送信可能な最大パケット長のパケット数を算出する第９ステップをさらに有し、第４ステップは、パケット数および最大パケット長に基づいて、連結データを生成し、局側装置において、加入者装置と通信を行うことで、最大パケット長を決定する第１０ステップと、上位装置である無線親局から、無線親局に到着予定のデータ量に関する情報を受信する第１１ステップと、無線親局に到着予定のデータ量が最大パケット長で加入者装置から送信されることを想定して、送信可能時間を決定し、決定した送信可能時間を加入者装置に送信する第１２ステップとをさらに有するものである。
【手続補正４】
【補正対象書類名】特許請求の範囲
【補正対象項目名】全文
【補正方法】変更
【補正の内容】
【特許請求の範囲】
【請求項１】
複数の加入者装置が伝送路を共有し、時分割多重方式で、局側装置と通信を行うパケット通信システムにおいて、
前記複数の加入者装置のそれぞれは、入力された複数の通信パケットに関して、同一ヘッダ情報を有する通信パケットから重複するヘッダ情報を削除して、前記ヘッダ情報を削除後のそれぞれの通信パケットに存在する複数のデータを連結し、連結情報を付与した集約パケットを生成し、生成した前記集約パケットを正規の通信パケットとして前記局側装置に送信する集約パケット生成器を有し、
前記局側装置は、前記集約パケットを受信した際に、前記集約パケットに含まれている前記複数のデータを前記連結情報に基づいて分解し、前記複数の通信パケットを再構築する分解パケット生成器を有し、
前記集約パケット生成器は、
入力された前記複数の通信パケットの宛先情報が含まれるヘッダをチェックし、前記同一ヘッダ情報を有するパケットを判別するヘッダチェック部と、
前記複数の通信パケットのヘッダを削除するヘッダ削除部と、
前記複数の加入者装置のそれぞれが送信する１つのパケットの最大パケット長を、前記局側装置と通信を行うことで決定する最大パケット長決定部と、
前記最大パケット長に収納できる範囲で、同一ヘッダ情報を有し、かつ、ヘッダが削除された複数のデータを連続して連結するか、もしくは分割し、前記最大パケット長を有する前記１つのパケット内に収容される１つの連続したデータ構成を有する連結データを生成するパッキング部と、
前記連結データの連結箇所に関する情報を連結情報として生成し、前記連結情報を前記連結データに付与する連結情報付与部と、
前記同一ヘッダ情報に相当する１つのヘッダ情報を前記連結データに付与し、前記１つのパケットを正規の通信パケットの構成とするヘッダ付与部と
を含み、
前記集約パケット生成器は、前記最大パケット長決定部で決定された前記最大パケット長および前記局側装置から割り当てられた送信可能時間をもとに、１回の送信機会で連続して送信可能な前記最大パケット長のパケット数を算出するパケット数算出部をさらに含み、
前記パッキング部は、前記パケット数および前記最大パケット長に基づいて、前記連結データを生成し、
前記局側装置は、
前記加入者装置と通信を行うことで、前記最大パケット長を決定する最大パケット長決定器と、
上位装置である無線親局から、前記無線親局に到着予定のデータ量に関する情報を受信する受信情報抽出器と、
前記無線親局に到着予定の前記データ量が前記最大パケット長で前記加入者装置から送信されることを想定して、前記送信可能時間を決定し、決定した前記送信可能時間を前記加入者装置に送信する帯域算出器と
をさらに有するパケット通信システム。
【請求項２】
複数の加入者装置が伝送路を共有し、時分割多重方式で、局側装置と通信を行うパケット通信システムに適用される加入者装置であって、
入力された複数の通信パケットの宛先情報が含まれるヘッダをチェックし、同一ヘッダ情報を有するパケットを判別するヘッダチェック部と、
前記複数の通信パケットのヘッダを削除するヘッダ削除部と、
前記複数の加入者装置のそれぞれが送信する通信パケットの最大パケット長を決定する最大パケット長決定部と、
前記最大パケット長に収納できる範囲で、同一ヘッダ情報を有し、かつ、ヘッダが削除された複数のデータを連続して連結し、前記最大パケット長を有する１つのパケット内に収容される１つの連続したデータ構成を有する連結データを生成するパッキング部と、
前記連結データの連結箇所に関する情報を連結情報として、前記連結データに付与する連結情報付与部と、
前記同一ヘッダ情報に相当する１つのヘッダ情報を前記連結データに付与し、前記１つのパケットを正規の通信パケットの構成とすることで集約パケットを生成するヘッダ付与部と
を含んで構成される集約パケット生成器と、
前記集約パケットの蓄積量に応じて、前記局側装置に対して帯域要求を行う送受信制御部と
を有する加入者装置。
【請求項３】
複数の加入者装置が伝送路を共有し、時分割多重方式で、局側装置と通信を行うパケット通信システムに適用される局側装置であって、
前記複数の加入者装置のそれぞれと通信を行い、前記伝送路を共有する区間の最大パケット長を決定する最大パケット長決定部と、
前記複数の加入者装置のそれぞれに入力された複数の通信パケットに関して、同一ヘッダ情報を有する通信パケットから重複するヘッダ情報が削除され、前記重複するヘッダ情報が削除された後のそれぞれの通信パケットに存在する複数のデータが連続して連結されたことで１つの連続したデータ構成を有する連結データが生成され、前記連結データの連結箇所に関する情報に相当する連結情報が付与された集約パケットを、前記複数の加入者装置のそれぞれから受信する受信器と、
前記集約パケットを受信した際に、前記集約パケットに含まれている前記連結データを前記連結情報に基づいて分解し、前記複数の通信パケットを再構築する分解パケット生成器と、
上位装置である無線親局から、前記無線親局に到着予定のデータ量に関する情報を受信する受信情報抽出器と、
前記無線親局に到着予定の前記データ量が前記最大パケット長で前記加入者装置から送信されることを想定して、送信可能時間を決定し、決定した前記送信可能時間を前記加入者装置に送信する帯域算出器と
を有する局側装置。
【請求項４】
複数の加入者装置が伝送路を共有し、時分割多重方式で、局側装置と通信を行うパケット通信方法において、
前記複数の加入者装置のそれぞれにおいて、
入力された複数の通信パケットの宛先情報が含まれるヘッダをチェックし、前一ヘッダ情報を有するパケットを判別する第１ステップと、
前記複数の通信パケットのヘッダを削除する第２ステップと、
前記複数の加入者装置のそれぞれが送信する１つのパケットの最大パケット長を局側装置と通信を行い決定する第３ステップと、
前記最大パケット長に収納できる範囲で、同一ヘッダ情報を有し、かつ、ヘッダが削除された複数のデータを連続して連結するか、もしくは分割し、前記最大パケット長を有する前記１つのパケット内に収容される１つの連続したデータ構成を有する連結データを生成する第４ステップと、
前記連結データの連結箇所に関する情報を連結情報として生成し、前記連結情報を前記連結データに付与する第５ステップと、
前記同一ヘッダ情報に相当する１つのヘッダ情報を前記連結データに付与し、正規の通信パケットの構成として集約パケットを生成し、前記局側装置に送信する第６ステップと
を有し、
前記局側装置において、
前記複数の加入者装置のそれぞれから送信される前記集約パケットを受信する第７ステップと、
前記集約パケットを受信した際に、前記集約パケットに含まれている前記連結データを前記連結情報に基づいて分解し、前記複数の通信パケットを再構築する第８ステップと
を有し、
前記複数の加入者装置のそれぞれにおいて、
前記第３ステップで決定された前記最大パケット長および前記局側装置から割り当てられた送信可能時間をもとに、１回の送信機会で連続して送信可能な前記最大パケット長のパケット数を算出する第９ステップ
をさらに有し、
前記第４ステップは、前記パケット数および前記最大パケット長に基づいて、前記連結データを生成し、
前記局側装置において、
前記加入者装置と通信を行うことで、前記最大パケット長を決定する第１０ステップと、
上位装置である無線親局から、前記無線親局に到着予定のデータ量に関する情報を受信する第１１ステップと、
前記無線親局に到着予定の前記データ量が前記最大パケット長で前記加入者装置から送信されることを想定して、前記送信可能時間を決定し、決定した前記送信可能時間を前記加入者装置に送信する第１２ステップと
をさらに有する
パケット通信方法。
【国際調査報告】
2017168494.tif 000010
2017168494.tif 000011
2017168494.tif 000012